(57)【要約】【課題】室内灯の点灯の光を室外において、目線の位置に係わらず、特に遠く離れた真横方向（ドア又は壁に沿った方向）であっても透光として知覚できるので、単に点灯の有無の確認に止まらず、点灯の情報を積極的に確実に知らせ得る室内灯の検知装置を提供する。【解決手段】ドアまたは壁などに貫通孔を設け、この貫通孔の室内側に受光透明体を設けると共に、貫通孔の室外に突出する発光透明体を取り付け、且つ、この受光透明体と発光透明体との間を空隙とし、上記発光透明体の突出については、室外に露出する外周面を有しその外周面の寸法を伴う突形状に形成した。【選択図】    図１
2004300708.tif 000002
【特許請求の範囲】
【請求項１】
ドアまたは壁などに貫通孔を設け、この貫通孔の室内側に受光透明体を設けると共に、貫通孔の室外に突出する発光透明体を取り付け、且つ、この受光透明体と発光透明体との間を空隙とし、上記発光透明体の突出については、室外に露出する外周面を有しその外周面の寸法を伴う突形状に形成したことを特徴とする室内灯の検知装置。
【請求項２】
発光透明体の先端にほぼ半球状の先頭面部を突出させたことを特徴とする請求項１記載の室内灯の検知装置。
【請求項３】
発光透明体の先端面に中心を同じくする錐形の凹欠部を形成し、それが全反射を利用して光の進行方向を変えるプリズム機能を備えていることを特徴とする請求項１記載の室内灯の検知装置。
【請求項４】
発光透明体の先端部に集光されるように基端面を凸面に形成したことを特徴とする請求項１，２または３記載の室内灯の検知装置。
【発明の詳細な説明】
【０００１】
【発明の属する技術分野】
この発明は、室内灯が点いているか否かを廊下や玄関などの外部から知るために、ドアや壁などに装備する室内灯の検知装置に関する。
【０００２】
【従来の技術】
室内灯が点いているか否かを知る必要性については、まず、消灯の励行による節電を目的とする場合が挙げられる。例えば、外出するためにドアの鍵を掛けようとしたたときに、その場で消し忘れがあったことを発見できれば無駄を省くことができ、特に外出が長い時間にわたるときには節電が無視できなく有効である。また、消し忘れてきたのではないかという不安感に襲われるときに、室内に入ることなく廊下や玄関で確認できる利点もある。
【０００３】
従来、室内が点灯されているかどうかを確認する手段として、ドアの取っ手を取り付ける内外両座板に開口を設け、両開口に透光体を嵌着するとともに、両透光体を接続した装置が提案されている（特開平１１−１１７５８２号公報）。同公報によれば、例えば、トイレなどのように窓のないドアにおいて、室内が点灯されていることが、その灯光を視覚できるために夜間または暗所でも室外から確認できる利点が挙げらている。
【０００４】
【発明が解決しようとする課題】
しかしながら、上記のような従来の室内灯の検知装置によれば、室内の灯光がドアの内側の透光体から室外の透光体に至って、室外の透光体が発光するために室内灯が点灯されていることを確認できるものであるが、透光体が座板の開口を丁度塞ぐ程度に平らで、突出していても普通の凸レンズ程度の形状であったので、透光体に向かって真正面から見ないと光の確認ができなかたった（図５参照）。
【０００５】
このため、目線が一致しないときには、積極的に確認位置や姿勢を取る必要があり不都合であった。また当然に、従来の透光体では遠く離れた所、特に透光体の真横側からは、その発光を確認することはほとんど不可能であった。従って、前記のように節電目的のために、点灯の有無を発見させるのには向かないという問題があった。例えば、玄関に出るなり消し忘れを知りうるならば、節電に非常に好都合であるが、従来の装置では、このような消し忘れを知らせる情報伝達能力に欠けていた。
【０００６】
この発明は、上記のような実情に鑑みて、室内灯の点灯の光を室外において、目線の位置に係わらず、特に遠く離れた真横方向（ドア又は壁に沿った方向）であっても透光として知覚できるので、単に点灯の有無の確認に止まらず、点灯の情報を積極的に確実に知らせ得る室内灯の検知装置を提供することを目的とした。
【０００７】
【課題を解決するための手段】
上記の目的を達成するために、この発明は、ドアまたは壁などに貫通孔を設け、この貫通孔の室内側に受光透明体を設けると共に、貫通孔の室外に突出する発光透明体を取り付け、且つ、この受光透明体と発光透明体との間を空隙とし、上記発光透明体の突出については、室外に露出する外周面を有しその外周面の寸法を伴う突形状に形成したことを特徴とする室内灯の検知装置を提供するものである。
【０００８】
また、発光透明体の先端にほぼ半球状の先頭面部を突出させた場合（請求項２）、発光透明体の先端面に中心を同じくする錐形の凹欠部を形成し、それが全反射を利用して光の進行方向を変えるプリズム機能を備えた場合（請求項３）、発光透明体の先端部に集光されるように基端面を凸面に形成した場合（請求項４）は、本発明の目的をより有効に発揮させることができる。
【０００９】
【作用】
室内灯の検知装置を上記のように構成したから、室内に光源が点灯されていると、受光透明体を介して発光透明体から室外に放出されるが、発光透明体が側面を有する長い突出形状であることから、周囲に光が分散するために、室外における目線の位置に係わらずその発光を確認することができる。
【００１０】
受光透明体については、平面ガラス、レンズ、光ファイバー等であっても良い。特に、受光透明体自身が光ファイバーの束であると、その光ファイバーの束を光源に向けて自在に屈曲可能なので、集中管理も可能となり、非常に好都合である。一方、発光透明体については、周囲の色と区別し易い色を出すために、発光透明体自身に色を着けるよりも、むしろ色の付いた膜を挟み、且つ発光透明体の外表面を梨地状にした方が、より明るく見えるようにすることができる。
【００１１】
また、本発明では、発光透明体自身がドア又は壁より突出し、且つ、それを強力に発光させる構造となっている。特に、請求項３に記載された錐形の凹欠部が、９０度にカットされた円錐形又は三角錐形若くは四角錐形のプリズム機構を備えたものは、発光透明体に入射した光を９０度に偏向させることができ、玄関などの遠く離れた場所からもその発光を確認することができる。
【００１２】
【発明の実施の形態】
この発明においては、室外に発光透明体１１が単に突出するだけでなく、側面１２を有する程度に長く突出することに特徴があり、側面１２の存在は、単に凸レンズ程度の突出程度を除外することを意味する。しかし、側面１２は壁面に対して垂直であることを要しなく、やや傾斜していても良いものとする（図２参照）。
【００１３】
発光透明体１１や受光透明体９の材質については、ガラスやプラスチック（例えばアクリル樹脂）などであって、完全な透明体ばかりでなく、色彩を伴う半透明体であることもある。また、受光透明体９と発光透明体１１との間については、単なる空間であっても良い。また、発光透明体１１と受光透明体９とが一体化されているものであっても、この発明の趣旨に反しないものとする。ただ、図５に示すように光ファイバー１３を使用すると、光源１０に受光透明体９を近づけるようにできる利点があるし、多数の光ファイバー１３，１３，・・により多くの光源１０，１０，・・を集約して集中管理するようにもなし得る。
【００１４】
発光透明体１１の形状については、前記のように側面１２を有する凸であれば特に限定するものではないが、先端にほぼ半球状の先頭面部１６を有すると（請求項２）、凸レンズ作用によりそこから光が分散するので確認されやすい。特に、基端面１４を凸面にすると（請求項４）、レンズ作用によりその先頭面部１６に光を集中させてから分散させることができる。また、先端面に錐形の凹欠部２５を設けてあると（請求項３）、プリズム作用により周囲に光を屈折して放射することができ、より確認が容易となる。
【００１５】
さらに、凹欠部２５の錐形頂角が直角になる直角等辺円錐形に形成しておけば、プリズム作用により、室内から受光した光がドア１（又は壁２）の表面に沿った平行方向に発光されるので、その発光をより有効に確認することができる。
【００１６】
【発明の効果】
以上説明したように、この発明の室内灯の検知装置によれば、室内灯の点灯の光を室外において発光透明体により視覚できるが、発光透明体が側面を有する程度に突出した形状であって周囲に光が分散されることから、目線の位置に係わらず知覚できるので、単に点灯の有無の確認に止まらず、点灯の情報を積極的に確実に知らせ得るために、特に、室内灯の消し忘れを防止する上において顕著な効果を奏するものである。
【００１７】
【実施例】
次に、この発明の幾つかの実施例を図１ないし図４について具体的に説明する。なお、この発明は、実施例に限定されないことは申すまでもない。
【００１８】
図１は、一実施例を示したもので、ドア１に室内灯の検知装置を装備するために貫通孔３を設け、貫通孔３に内筒５と外筒７とを相互に螺合することにより嵌着し、内筒５に受光透明体９が、外筒７に発光透明体１１がをそれぞれはめ込まれている。なお受光透明体９から室内側の光源１０に対して光ファイバーを活用しても良い。また、５０は空隙である。
【００１９】
内筒５と外筒７とは、ドア１の外面に掛かる鍔部１５，１５を有する円筒形であって、内筒５の全周に雄ねじ１７を、外筒７の半部外周に雌ねじ１８がそれぞれ形成され、外筒７の残り半部程度の深さに発光透明体１１が嵌合されているが、発光透明体１１は、突出基端部に側面１２を有し、その先端に半球状に先頭面部１６が形成され、外筒７からは豆電球状に長く突出しているため、特に先頭面部１６からは凸レンズ作用により光が周囲に均等に放射される。また、この先頭面部１６の外表面を梨地状にしておけば、より明るく見えるようにすることができる。
【００２０】
図２は、他の実施例を示したもので、壁２に取り付けられており、この場合も、内筒５と外筒７とが螺合されて、貫通孔３に嵌着されているが、内筒５には接続口２１を突設し、それに可撓性ホースからなる導入管１９を連結し、導入管１９の先端に取付口２３を嵌着することにより、そこに受光透明体レンズ９ａが取り付けられている。
【００２１】
そして、光源１０からの光を受け入れる壁２側には、光ファイバー１３の束が受光透明体９ｂとして構成されている。したがって、導入管１９を光源１０に向けて設定しておくことにより、貫通孔３内に確実に灯光を捉えることができる。なお、受光透明体レンズ９ａ及び受光透明体光ファイバー束９ｂから、それぞれ光ファイバー１３を導入管１９内に臨ませておき、その間を空隙としておいても良い。
【００２２】
また、発光透明体１１は、先端面に中心を同じくするすり鉢状円錐形の凹欠部２５が形成され、この凹欠部２５の頂角が直角であるいわゆる直角プリズムの形態をなしている。このような発光透明体１１の形状であると、直角プリズム効果として、光源１０からの光が凹欠部２５の面で直角に偏向して屈折するので（同図二点鎖線参照）、さらに横からの光の発見を容易になすことができる。
【００２３】
また、この場合も発光透明体１１の外表面を梨地状に表面処理すれば、より明るくすることができる。さらに、受光透明体９ｂと発光透明体１１との間に、周囲と区別し易い色の色膜４０を介在させておけば、より有効に見ることができる。なお、内筒５には透明なキャップ状の保持器２７が嵌め込んであって、それに光ファイバー１３，１３…の先端部が貫通して保持されている。また、受光透明体９ｂと発光透明体１１との間は空隙５０となっている。
【００２４】
図３は、さらに他の実施例を示したもので、この場合は、内筒５に嵌まる受光透明体９に、集光しやすく室内側に凸面となる凸レンズを使用してある。また、発光透明体１１は、光源１０からの光を集合しやすく内側の基端面１４が凸レンズ形状の基盤１８と、基盤１８から突出する円形側面１２の台部と、台部から突出するほぼ半球状の先頭面部１６とを一体に成形し、先端にゆくにつれて段々に小径に形成される。
【００２５】
そこで、発光透明体１１では、光源１０からの光が先頭面部１６で集合するとともに、そこから凸レンズ効果により周囲に発散するために、先頭面部１６が特に目立つように輝度高く光る。しかし、基盤１８の周囲や台部側面１２からもかすかに光を感知することができる。なお、５０は空隙である。
【００２６】
図４は、さらに他の実施例を示したもので、この場合は、発光透明体１１を短円柱形に形成するとともに、その先端面に図２の場合と同様に、すり鉢状に直角円錐形の凹欠部２５が設けられる。したがって、受光透明体９を通過した光は、直角プリズム効果により凹欠部２５の面で直角に偏向屈折し周囲に広がる。この場合も、発光透明体１１の外表面を梨地状に表面処理したり、色膜４０を設けたりすれば、より明るく、周囲の色と区別して見ることができる。５０は空隙である。
【００２７】
なお、上記実施例では、カット角が９０度である凹欠部２５の形状が、円錐形である場合について説明したが、その形状が三角錐形や四角錐形であっても、プリズム機能を備えておれば特に制限されるものではない。また、プリズム効果が発揮されるためには、反射面が鏡面仕上げ（超仕上）であることが望ましい。さらには、上記各実施例に示した各発光透明体１１を、受光透明体９をも含めて、例えば軸受機構等により角度調整可能に構成しておけば、より好都合な場合がある（図示省略）。
【図面の簡単な説明】
【図１】この発明の一例を示す室内灯の検知装置の断面図である。
【図２】他の例を示す室内灯の検知装置の断面図である。
【図３】さらに他の例を示す室内灯の検知装置の断面図である。
【図４】さらに他の例を示す室内灯の検知装置の断面図である。
【図５】従来例やこの発明の実施形態を説明するための参考図である。
【符号の説明】
１  ドア
２  壁
３  貫通孔
９，９ａ，９ｂ  受光透明体
１０  光源
１１  発光透明体
１２  側面
１３  光ファイバー
１４  基端面
１６  先頭面部
２５  凹欠部
２７  保持器
４０  色膜
５０  空隙
【図１】
2004300708.tif 000003
【図２】
2004300708.tif 000004
【図３】
2004300708.tif 000005
【図４】
2004300708.tif 000006
【図５】
2004300708.tif 000007